(57)【要約】【課題】  参照極を、作業性良く、簡易かつ確実に組み付けることができ、精度の高い性能評価を行なうことができる電気化学セルを提供すること。【解決手段】  開口部４３を有する参照極底壁４２の上面に参照極５を、開口部４３から露出するように載置して、参照極収容部外周壁４０および参照極収容部内周壁４１に沿うように、参照極押圧部３８をその上方から参照極収容部２９に対してスライドさせて、参照極収容部２９に収容する。【選択図】    図７
2007257850.tif 000002
【特許請求の範囲】
【請求項１】
作用極と、
前記作用極に対して対向配置される対極と、
前記作用極と前記対極との間に介在されるセパレータと、
前記作用極と前記対極との対向方向における前記作用極の投影面から離間するように配置され、かつ、前記作用極との間にセパレータが介在されずに配置される参照極と、
前記参照極を収容するための収容部材とを備え、
前記収容部材は、開口部を有する被押圧面が形成された収容部と、前記収容部に収容され、前記被押圧面を押圧するための押圧部とを備え、
前記参照極は、前記開口部から露出するように、前記被押圧面と前記押圧部との間に配置されていることを特徴とする、電気化学セル。
【請求項２】
前記参照極が、リチウムであることを特徴とする、請求項１に記載の電気化学セル。
【請求項３】
前記収容部材の少なくとも一部は、前記電気化学セル内において、電解液によって浸漬されており、
前記押圧部は、前記収容部に対してスライド自在に収容され、
前記収容部は、前記参照極と反応せず、前記電解液と反応しない材料から形成されており、前記押圧部のスライドを案内するためのガイド部を備えていることを特徴とする、請求項１または２に記載の電気化学セル。
【発明の詳細な説明】
【技術分野】
【０００１】
本発明は、電気化学セル、詳しくは、３電極方式の電気化学セルに関する。
【背景技術】
【０００２】
従来より、ハイブリッド車両や燃料電池車両に搭載される蓄電デバイスとして、リチウムイオン電池やハイブリッドキャパシタなどが利用されている。
一般に、これらの蓄電デバイスの性能評価においては、作用極および対極の他に参照極を組み合わせた３電極式電気化学セルなどが用いられる。
このような電気化学セルとして、たとえば、少なくとも１組の作用極と対極を、セパレータを介して対向配置してなる電極体、該電極体を収納するための収納容器および該収納容器の蓋部からなる電気化学セルにおいて、加圧手段をさらに備え、該加圧手段により該蓋部を該収納容器側に押圧することにより該収納容器が密閉されるものが提案されている（たとえば、特許文献１参照）。
【特許文献１】特開２００３−１０９６５３号公報
【発明の開示】
【発明が解決しようとする課題】
【０００３】
引用文献１に記載される電気化学セルでは、作用極、対極および参照極が、押圧手段の押圧方向において重なるように配置される。
しかし、このような配置においては、作用極と参照極との間にセパレータを介在させるために、内部抵抗が大きくなるという不具合がある。
そこで、作用極と参照極との間にセパレータを介在させずに参照極を組み付けることによって、内部抵抗を低減する方法が提案されるが、リチウムイオン電池やハイブリッドキャパシタなどの性能評価においては、参照極に加工性の良くない材料、たとえば、リチウムなどを使用する場合があるので、その組付けが作業性良く行われることが望まれる。また、精度の高い性能評価を行うために、性能評価に使用できる参照極の有効面積を十分に確保する必要がある。
【０００４】
そこで、本発明の目的は、参照極を、作業性良く、簡易かつ確実に組み付けることができ、精度の高い性能評価を行なうことができる電気化学セルを提供することにある。
【課題を解決するための手段】
【０００５】
上記目的を達成するため、本発明の電気化学セルは、作用極と、前記作用極に対して対向配置される対極と、前記作用極と前記対極との間に介在されるセパレータと、前記作用極と前記対極との対向方向における前記作用極の投影面から離間するように配置され、かつ、前記作用極との間にセパレータが介在されずに配置される参照極と、前記参照極を収容するための収容部材とを備え、前記収容部材は、開口部を有する被押圧面が形成された収容部と、前記収容部に収容され、前記被押圧面を押圧するための押圧部とを備え、前記参照極は、前記開口部から露出するように、前記被押圧面と前記押圧部との間に配置されていることを特徴としている。
【０００６】
本発明の電気化学セルでは、参照極が、収容部材における被押圧面と押圧部との間に配置されている。つまり、参照極を収容部材の被押圧面に載置して、その上から押圧部によって押圧するという簡易な操作だけで、参照極を作業性良く、確実に組み付けることができる。また、参照極が、被押圧面に形成された開口部から露出するので、リチウムイオン電池などの性能評価に使用できる参照極の有効面積を十分に確保することができ、精度の高い性能評価を行うことができる。
【０００７】
また、本発明の電気化学セルでは、前記参照極が、リチウムであることが好適である。
性能評価の評価対象となる蓄電デバイスが、たとえば、リチウムイオン電池やハイブリッドキャパシタなど、正極および負極にリチウムイオンを可逆的に吸蔵・放出可能な材料が用いられているデバイスである場合において、参照極がリチウムであると、効率よく性能評価を行なうことができる。
【０００８】
また、本発明の電気化学セルでは、前記収容部材の少なくとも一部は、前記電気化学セル内において、電解液によって浸漬されており、前記押圧部は、前記収容部に対してスライド自在に収容され、前記収容部は、前記参照極と反応せず、前記電解液と反応しない材料から形成されており、前記押圧部のスライドを案内するためのガイド部を備えていることが好適である。
【０００９】
収容部が、参照極と反応せず、かつ、電解液と反応しない材料から形成されていることにより、たとえば、性能評価中に収容部が電解液と反応し、溶解することによって作用極と参照極とが短絡することを防止することができるため、精度の高い性能評価を行うことができる。また、収容部には、押圧部のスライドを案内するためのガイド部が備えられているので、参照極を収容部材の被押圧面に載置して、その上から押圧部をガイド部に沿ってスライドさせて収容するだけで参照極の組み付けを行なうことができる。そのため、参照極を、作業性よく、簡易かつ確実に組み付けることができる。
【発明の効果】
【００１０】
本発明の電気化学セルによれば、参照極を、作業性よく、簡易かつ確実に組み付けることができ、精度の高い性能評価を行うことができる。
【発明を実施するための最良の形態】
【００１１】
図１は、本発明の電気化学セルの一実施形態である、３電極方式の電気化学セルの外観斜視図であり、図２は、図１に示す電気化学セルの中央断面図である。
図１および図２に示すように、この電気化学セル１は、ケーシング２と、そのケーシング２内に収容される作用極３、対極４、参照極５およびセパレータ６とを備えている。
ケーシング２は、作用極３と電気的に接続される上側ケーシング７と、対極４と電気的に接続される下側ケーシング８と、参照極５と電気的に接続され、上側ケーシング７と下側ケーシング８との間に介在される中間ケーシング９とを、それぞれ別体として備えている。
【００１２】
上側ケーシング７は、金属製（たとえば、ステンレス製、以下同様）であり、断面略逆Ｔ字形状に形成され、有底円筒形状の中央筒部１０と、中央筒部１０の下端部外周から径方向外方に延びる上側フランジ部１１とが一体的に形成されている。
中央筒部１０は、その内周面に、後述する押圧調整ボルト１２が螺着されるねじ山が形成されている螺着部１３が、軸方向（上下方向）に沿って形成されている。また、中央筒部１０の底部には、その底部を厚さ方向（上下方向）に貫通し、後述する押圧軸１５が挿通される挿通孔１４が形成されている。
【００１３】
下側ケーシング８は、金属製であり、断面逆ハット形状に形成され、断面凹形状の収容部１６と、収容部１６の上端部外周から径方向外方に延びる上側フランジ部１１と略同一外径の下側フランジ部１７とが一体的に形成されている。
中間ケーシング９は、金属製であり、上側フランジ部１１および下側フランジ部１７と、略同一外径の円板形状に形成されている。なお、中間ケーシング９の内径は、収容部１６の内径よりも小さく設定されている。
【００１４】
また、上側ケーシング７、中間ケーシング９および下側ケーシング８には、これらが軸方向（上下方向）に重なった状態において、同一位置に、厚さ方向を貫通する固定孔１８がそれぞれ形成されている。固定孔１８は、周方向に互いに等間隔（９０°間隔）を隔てて、複数（４つ）穿孔されている。
また、この電気化学セル１は、上側ケーシング７の螺着部１３に螺着される押圧調整ボルト１２と、圧縮ばねからなる第１コイルばね１９と、第１コイルばね１９に押圧される押圧軸１５と、押圧軸１５に押圧される電極押圧部材２０と、電極押圧部材２０の周りに配置される収容部材としての参照極収容部材２１および圧縮ばねからなる第２コイルばね２２とを、それぞれ別体として備えている。
【００１５】
押圧調整ボルト１２は、金属製であり、頭部２３と、その頭部２３から突出し、ねじ山が形成されるねじ軸部２４とを一体的に備えている。ねじ軸部２４の遊端部（下端部）には、第１コイルばね１９を受け入れるばね受け凹部２５が形成されている。
押圧軸１５は、金属製であり、長手方向両端部が丸く形成される断面円形状の棒状をなし、その長手方向（上下方向）途中に、径方向外方に膨出する環状のリング部２６が形成されている。このリング部２６は、その外径が、挿通孔１４より大径に形成されている。
【００１６】
第１コイルばね１９は、押圧調整ボルト１２のばね受け凹部２５内に収容され、かつ、押圧軸１５のリング部２６に当接可能な直径を有する螺旋筒状の金属製のコイルばねから形成されている。
電極押圧部材２０は、金属製であり、その外径が収容部１６の内径よりも小さい円柱形状をなし、その上面には、押圧軸１５を受ける碗形状の受け部２７が一体的に形成されている。また、その下面は、平坦形状に形成されている。また、この電極押圧部材２０は、収容部１６に収容される程度の上下方向厚みで形成されている。
【００１７】
参照極収容部材２１は、参照極５を収容するための収容部としての参照極収容部２９および、参照極５を後述する参照極底壁４２の上面に対して押圧するための押圧部としての参照極押圧部３８を備えている。
以下、参照極収容部２９については図３を、参照極押圧部３８については図４を参照して、説明する。
【００１８】
図３は、参照極収容部２９を具体的に示す図であって、図３（ａ）は平面図、図３（ｂ）は図３（ａ）に示すＡ−Ａの切断面で切断したときの断面図である。また、図４は、参照極押圧部３８を具体的に示す図であって、図４（ａ）は平面図、図４（ｂ）は図４（ａ）に示すＢ−Ｂの切断面で切断したときの断面図である。
図３を参照して、参照極収容部２９は、絶縁性の樹脂製（たとえば、ポリプロピレン、ポリエチレン、ポリスチレン製など、以下同様）であり、有底円環形状に形成され、電気化学セル１に組み付けられた状態において、収容部１６の内周面と電極押圧部材２０の外周面との間に介在される径方向厚みで形成されている（図２参照）。また、参照極収容部２９は、その内周面を有する参照極収容部内周壁４１と、参照極収容部内周壁４１の径方向外側において間隔を隔てて対向され、その外周面を有する参照極収容部外周壁４０と、これら参照極収容部内周壁４１と参照極収容部外周壁４０の下端部を連結する中空円板状の参照極底壁４２とを備えている。そして、参照極収容部内周壁４１と参照極収容部外周壁４０との間が、参照極押圧部３８が収容される溝部３９として形成される。なお、本発明では、参照極収容部外周壁４０および参照極収容部内周壁４１が、ガイド部を構成している。
【００１９】
参照極底壁４２には、周方向略等間隔に複数個所（たとえば１６箇所）、略長方形に切り出されることによって開口される開口部４３が形成されている。
図４を参照して、参照極押圧部３８は、たとえば、ステンレスまたはニッケルなど、電気伝導性を有する材料からなり、円筒形状に形成され、溝部３９に収納可能な径方向厚みで形成されている。また、溝部３９に収容された状態において、その上面が、参照極収容部２９の上面と、略面一となるような高さで形成されている。これにより、電気化学セル１に組み付けられた状態において、第２コイルばね２２と電気的に導通される（図２参照）。さらに、参照極押圧部３８の、外周面が参照極押圧部外周面４５、内周面が参照極押圧部内周面４６として形成されている。
【００２０】
また、参照極押圧部３８の上面には、周方向途中に上下方向に段差を生じる凹部４４が、複数個（たとえば８箇所）形成されており、参照極押圧部３８を参照極収容部２９に収容した状態において、たとえば、任意の凹部４４の側面とそれに隣接する凹部４４の側面とをピンセットまたは指で挟むことなどによって、参照極押圧部３８を参照極収容部２９から取り出すことができるようになっている。
【００２１】
再び図１および図２を参照して、第２コイルばね２２は、参照極収容部材２１の上面、詳しくは、参照極収容部２９および参照極押圧部３８の上面に当接可能な直径を有する螺旋筒状の金属製のコイルばねから形成されている。
作用極３は、電極押圧部材２０と同径の円板形状をなし、たとえば、水蒸気賦活活性炭、やしがら系活性炭および石油コークス系活性炭などの活性炭、リチウム遷移金属化合物、二酸化マンガンまたはフッ化黒鉛など、たとえば、リチウムイオン電池やハイブリッドキャパシタなどの正極材料、たとえば、ハードカーボン（難黒鉛化炭素）およびグラファイトなどの炭素系材料、黒鉛、不定形炭素または有機高分子焼結体など、たとえば、リチウムイオン電池やハイブリッドキャパシタなどの負極材料など、作用極３として性能評価をする材料から形成されている。
【００２２】
対極４は、作用極３と同径の円板形状をなし、たとえば、上記した材料と同様の材料など、対極４として評価する材料から、形成されている。なお、対極４は、作用極３より大径の円板形状に形成することもできる。
参照極５は、作用極３および対極４の電位の基準となる電極であり、電極電位が安定している材料、たとえば、リチウム、銀、活性炭などが用いられ、たとえば、リチウムイオン電池やハイブリッドキャパシタの性能評価を実施する場合においては、リチウムを用いることが好ましい。性能評価の評価対象が、リチウムイオン電池やハイブリッドキャパシタのように、正極および負極にリチウムイオンを可逆的に吸蔵・放出可能な材料が用いられているデバイスである場合において、参照極５がリチウムであると、効率よく性能評価を実施することができる。また、参照極５は、溝部３９内において円環状に収容される形状、たとえば、開口部４３より大きい面積である箔形状、たとえば、略長方形が放射状に連結するような短冊形状に形成されている。これにより、たとえば、リチウムなどのように加工性の良くない材料を参照極５に用いた場合であっても、参照極５の形状が箔形状であれば、作業能率を低下させずに、容易に加工することができる。
【００２３】
セパレータ６は、電極押圧部材２０、作用極３および対極４よりも大径であって、収容部１６の内径と同径の円板形状をなし、たとえば、ガラス繊維からなる不織布またはポリオレフィン系微孔性フィルム、セルロース系フィルムなど、セパレータとして用いられる通常の材料から、形成されている。
次に、この電気化学セル１の組み付けについて説明する。
【００２４】
この電気化学セル１の組み付けにおいては、まず、下側ケーシング８の収容部１６内に、対極４、セパレータ６、作用極３および、参照極５が収容された参照極収容部材２１を、配置する。具体的には、収容部１６内の底面中央部に、対極４を載置し、その対極４の上面に、セパレータ６を載置し、そのセパレータ６の上面周端部に、参照極５が収容された参照極収容部材２１を配置する。
【００２５】
ここで、参照極収容部材２１の組み付けについて、図５〜図７を参照して説明する。
参照極収容部材２１の組み付けにおいては、まず、図５に示すように、参照極底壁４２の被押圧面としての上面に参照極５を載置する。具体的には、短冊状に形成された参照極５を、その表面が開口部４３から露出するように、たとえば、参照極底壁４２の周方向にわたって載置する。次いで、図６に示すように、たとえば、参照極押圧部外周面４５が参照極収容部外周壁４０の内周面に摺動するように、また、参照極押圧部内周面４６が参照極収容部内周壁４１と摺動するように、参照極押圧部３８を参照極収容部２９に対してスライドさせて、溝部３９に収容する。
【００２６】
このように組み付けることによって、図７に示すように、参照極５は、参照極底壁４２の上面と参照極押圧部３８との間において、参照極押圧部３８によって押圧され、かつ、開口部４３から露出される。また、参照極押圧部３８の上面が、参照極収容部２９の上面と略面一となるように組み付けられている。なお、参照極５については、たとえば、リチウムイオン電池やハイブリッドキャパシタなどの性能評価の精度に影響を与えないのであれば、たとえば、参照極底壁４２の上面の周方向数箇所に載置するだけでもよい。
【００２７】
そして、参照極収容部材２１を配置した後、セパレータ６の上面中央部に、作用極３を載置し、作用極３の上面に、電極押圧部材２０が上下方向において重なるように載置する。これによって、収容部１６内においては、対極４、セパレータ６、作用極３および電極押圧部材２０が、収容部１６の深さ方向（上下方向）に沿って順次配置され、参照極５が収容された参照極収容部２９が、電極押圧部材２０に対して径方向外方側方に配置される。
【００２８】
また、セパレータ６は、電極押圧部材２０、作用極３および対極４の外径より大きく、収容部１６の内径と同径に形成されているため、このような配置において、上下方向における電極押圧部材２０、作用極３および対極４の投影面から、径方向（水平方向）外方にはみ出している。そして、参照極収容部２９に収容されている参照極５は、上下方向における電極押圧部材２０、作用極３および対極４の投影面から、径方向（水平方向）外方に離間して配置されており、はみ出した部分のセパレータ６の上面と、開口部４３から露出した参照極５の下面とが、上下方向において対向する。
【００２９】
また、このような配置において、参照極５は、作用極３に対して径方向外方において、セパレータ６を介在させることなく配置されている。
その後、収容部１６内に、電解液を注入する。電解液は、その目的および用途によって、適宜公知のものが選択される。たとえば、リチウムイオン電池やハイブリッドキャパシタなどの性能評価を実施する場合には、リチウムイオンを含む有機溶媒からなり、リチウム塩を有機溶媒に溶解させることにより、調製されている。
【００３０】
リチウム塩としては、たとえば、ＬｉＣｌＯ4、ＬｉＣＦ3ＳＯ3、ＬｉＣ（ＳＯ2ＣＦ3）3、ＬｉＢ（Ｃ6Ｈ5）4、ＬｉＣ4Ｆ9ＳＯ3、ＬｉＣ8Ｆ17ＳＯ3、ＬｉＢ［Ｃ6Ｈ3（ＣＦ3）2−３，５］4、ＬｉＢ（Ｃ6Ｆ5）4、ＬｉＢ［Ｃ6Ｈ4（ＣＦ3）−４］4、ＬｉＢＦ4、ＬｉＰＦ6、ＬｉＡｓＦ6、ＬｉＳｂＦ6、ＬｉＣＦ3ＣＯ2、ＬｉＮ（ＣＦ3ＳＯ2）2が挙げられる。なお、上式中［Ｃ6Ｈ3（ＣＦ3）2−３，５］は，フェニル基の３位と５位に、［Ｃ6Ｈ4（ＣＦ3）−４］はフェニル基の４位に、それぞれ−ＣＦ3が置換されているものを意味する。
【００３１】
また、有機溶媒としては、たとえば、ジエチレンカーボネート、プロピレンカーボネート、プロピレンカーボネート誘導体、エチレンカーボネート、エチレンカーボネート誘導体、ブチレンカーボネート、ジメチルカーボネート、ジエチルカーボネート、エチルメチルカーボネート、γ−ブチロラクトン、１，３−ジオキソラン、ジメチルスルホキシド、スルホラン、ホルムアミド、ジメチルホルムアミド、ジメチルアセトアミド、ジオキソラン、リン酸トリエステル、無水マレイン酸、無水コハク酸、無水フタル酸、１，３−プロパンスルトン、４，５−ジヒドロピラン誘導体、ニトロベンゼン、１，３−ジオキサン、１，４−ジオキサン、３−メチル−２−オキサゾリジノン、１，２−ジメトキシエタン、テトラヒドロフラン、２−メチルテトラヒドロフラン、テトラヒドロフラン誘導体、シドノン化合物、アセトニトリル、ニトロメタン、アルコキシエタン、トルエンなどが挙げられる。これらは、単独または２種以上併用することができる。電解液は、組み付け後の電気化学セル１において、収容部１６内の少なくともセパレータ６が浸漬されるとともに、参照極収容部材２１の下端部の少なくとも一部が浸漬される程度、たとえば、参照極５が電解液に接触する程度に注入する。
【００３２】
次いで、参照極収容部材２１の上面に、第２コイルばね２２の下端部を載置した後、中間ケーシング９を、その下面で第２コイルばね２２の上端部を押圧するようにして、下側ケーシング８の下側フランジ部１７の上面に重ね合わせる。なお、中間ケーシング９と下側ケーシング８との間には、ゴム製のＯリング３０および円板形状のリングシール板３３を介在させて、それらの間のシールを確保するとともに、中間ケーシング９と下側ケーシング８との間を絶縁する。
【００３３】
その後、上側ケーシング７を、中間ケーシング９の上面に重ね合わせる。なお、上側ケーシング７と中間ケーシング９との間には、ゴム製のＯリング３０および円板形状のリングシール板３３を介在させて、それらの間のシールを確保するとともに、上側ケーシング７と中間ケーシング９との間を絶縁する。
そして、上側ケーシング７、中間ケーシング９および下側ケーシング８に穿孔されている固定孔１８を位置合わせして、各固定孔１８に下側ケーシング８の下側フランジ部１７側から、固定ボルト３１を挿通させ、上側ケーシング７の上側フランジ部１１側に挿通された固定ボルト３１を、ナット３２で締め込む。なお、上側ケーシング７および中間ケーシング９の固定孔１８には、予め絶縁性のカラー部材３４を挿入しておき、固定ボルト３１によって、上側ケーシング７、中間ケーシング９および下側ケーシング８が導通することを防止する。
【００３４】
また、上側ケーシング７の中央筒部１０の挿通孔１４に、押圧軸１５を、リング部２６が挿通孔１４に対向し、押圧軸１５の下端部が電極押圧部材２０の受け部２７に当接するまで、挿通する。そして、挿通孔１４に挿通された押圧軸１５のリング部２６の上面に、第１コイルばね１９を載置した後、押圧調整ボルト１２のねじ軸部２４を、ばね受け凹部２５によって押圧軸１５の上端部が受けられるように、中央筒部１０の螺着部１３に螺着させ、螺締する。なお、押圧調整ボルト１２の頭部２３の下面と、中央筒部１０の上端面との間には、ゴム製のＯリング３０を介在させて、それらの間のシールを確保する。
【００３５】
このようにして組み付けられた電気化学セル１では、固定ボルト３１およびナット３２の締め付けによって、参照極収容部材２１の上面と中間ケーシング９の下面の間に挟まれる第２コイルばね２２が圧縮されるので、その第２コイルばね２２の反力によって、参照極収容部材２１が下方に押圧され、その結果、参照極収容部材２１の下面、詳しくは、参照極底壁４２が、セパレータ６を押圧する。
【００３６】
また、このようにして組み付けられた電気化学セル１では、押圧調整ボルト１２の締め付けによって、第１コイルばね１９を介して、押圧軸１５が下方に向かって弾性的に付勢される。そして、弾性的に付勢された押圧軸１５の下端部が、電極押圧部材２０を押圧するので、その結果、電極押圧部材２０が、セパレータ６を上下に挟んで対向配置される作用極３および対極４を押圧する。
【００３７】
また、この電気化学セル１では、下側ケーシング８には、対極４に電圧を印加するための対極用端子３５が設けられている。対極用端子３５は、収容部１６の底面に接触している対極４と、下側ケーシング８を介して電気的に導通される。
また、中間ケーシング９には、参照極５に電圧を印加するための参照極用端子３６が設けられている。参照極用端子３６は、参照極押圧部３８と接触している参照極５と、中間ケーシング９および第２コイルばね２２を介して電気的に導通される。より具体的には、電気化学セル１を組み付けた状態において、参照極用端子３６が設けられる中間ケーシング９の下面は、第２コイルばね２２の上端部を押圧している。また、第２コイルばね２２の下端部は、参照極収容部材２１の上面、詳しくは、参照極収容部２９および参照極押圧部３８の上面を押圧している。さらに、参照極押圧部３８の下面は、参照極５を押圧している。このように、中間ケーシング９、第２コイルばね２２、参照極押圧部３８および参照極５が連続的に接触した状態となるので、参照極用端子３６は、参照極５と電気的に導通される。
【００３８】
また、上側ケーシング７には、作用極３に電圧を印加するための作用極用端子３７が設けられている。作用極用端子３７は、電極押圧部材２０の下面に接触している作用極３と、上側ケーシング７、押圧調整ボルト１２、第１コイルばね１９および押圧軸１５を介して電気的に導通される。
そして、このような電気化学セル１では、作用極３および対極４がセパレータ６を介して上下方向に対向配置される一方で、参照極５が、上下方向における作用極３の投影面から離間し、かつ、作用極３との間に他のセパレータが介在されずに、作用極３および対極４によって挟まれるセパレータ６と接触するように、配置されており、さらに、参照極底壁４２の上面と参照極押圧部３８との間に配置されている。
【００３９】
つまり、この配置により、参照極５と作用極３との間の内部抵抗を低減することをできながら、参照極５を参照極底壁４２の上面に載置して、その上から参照極押圧部３８で押圧するという簡易な操作だけで、参照極５を作業性良く、確実に組み付けることができる。また、参照極５が、開口部４３から露出するので、たとえば、リチウムイオン電池やハイブリッドキャパシタなどの性能評価に使用できる参照極５の有効面積を広くすることができ、精度の高い性能評価を行うことができる。
【００４０】
また、参照極収容部２９が、絶縁性の樹脂からなり、参照極５と反応せず、かつ、電解液と反応しないため、たとえば、性能評価中に作用極３と参照極５とが短絡することを抑制することができ、精度の高い性能評価を行うことができる。さらに、参照極収容部２９に、参照極押圧部３８のスライドを案内するための参照極収容部外周壁４０および参照極収容部内周壁４１が備えられているので、参照極５を参照極底壁４２の上面に載置して、その上から参照極押圧部３８を、参照極収容部外周壁４０および参照極収容部内周壁４１に沿ってスライドさせて収容するだけで参照極５の組み付けを行なうことができる。そのため、参照極５を、作業性よく、簡易かつ確実に組み付けることができる。
【００４１】
また、この電気化学セル１では、押圧調整ボルト１２の締め付けによって、電極押圧部材２０が、セパレータ６を上下に挟んで対向配置される作用極３および対極４を押圧して、作用極３を、セパレータ６を介して対極４に密着させることができる。また、固定ボルト３１およびナット３２の締め付けによって、第２コイルばね２２が、参照極５を押圧して、参照極５を、セパレータ６に密着させることができる。その結果、簡易かつ確実な組み付けによって、作用極３、対極４および参照極５をより確実に配置して、正確な測定を達成することができる。
【００４２】
また、押圧調整ボルト１２の締め付けによる押圧力を調整することによって、作用極３および対極４を、セパレータ６を介して、最適の押圧力で均一に接触させることができる。さらに、固定ボルト３１およびナット３２の締め付けによる押圧力を調整することによって、参照極５を、セパレータ６に対して、最適の押圧力で均一に接触させることができる。
【００４３】
しかも、これら押圧調整ボルト１２による締め付け、および、固定ボルト３１による締め付けは、すべて上方（同一方向）から実施することができるので、より一層簡易な組み付けを実現することができる。
また、この電気化学セル１では、下側ケーシング８の収容部１６によって、対極４、セパレータ６、作用極３および参照極５を、コンパクトに収容しつつ、これらの簡易かつ確実な組み付けを達成することができる。
【００４４】
さらに、収容部１６によって、その内部が閉塞されるので、電解液の漏れをより確実に防止することができる。
また、この電気化学セル１は、上記した優れた組み付け性に起因して、優れた分解性もあり、そのため、短時間で分解および組み付けすることができる。
【図面の簡単な説明】
【００４５】
【図１】本発明の電気化学セルの一実施形態である、３電極方式の電気化学セルの外観斜視図である。
【図２】図１に示す電気化学セルの中央断面図である。
【図３】参照極収容部を具体的に示す図であって、図３（ａ）は平面図、図３（ｂ）は図３（ａ）に示すＡ−Ａの切断面で切断したときの断面図である。
【図４】参照極押圧部を具体的に示す図であって、図４（ａ）は平面図、図４（ｂ）は図４（ａ）に示すＢ−Ｂの切断面で切断したときの断面図である。
【図５】参照極を載置した状態の参照極収容部の平面図である。
【図６】参照極収容部および参照極押圧部の分解斜視図である。
【図７】参照極を組み付けた状態の参照極収容部材を示す断面図である。
【符号の説明】
【００４６】
１    電気化学セル
３    作用極
４    対極
５    参照極
６    セパレータ
２１  参照極収容部材
２９  参照極収容部
３８  参照極押圧部
４０  参照極収容部外周壁
４１  参照極収容部内周壁
４２  参照極底壁
【図１】
2007257850.tif 000003
【図２】
2007257850.tif 000004
【図３】
2007257850.tif 000005
【図４】
2007257850.tif 000006
【図５】
2007257850.tif 000007
【図６】
2007257850.tif 000008
【図７】
2007257850.tif 000009